(57)【要約】  【課題】  医療情報管理装置において、医師が作成した電子カルテとは別に、患者が自分のカルテを見て自分の病状や診療結果を理解できるようにした簡易電子カルテを作成する。  【解決手段】  この医療情報管理装置は、電子カルテデータを管理する電子カルテ管理手段４３ｂと、辞書ファイルが記録された記録媒体と、ある患者の電子カルテデータから医学的な専門用語を抽出して辞書ファイルにおいて検索し、これに対応する解説を表すデータを電子カルテデータに追加することにより簡易電子カルテデータを作成する簡易電子カルテ作成手段４３ｃと、当該患者が端末を操作することにより電子カルテの閲覧を要求した際に認証を行う認証手段４３ａと、当該患者の簡易電子カルテデータを端末に送信することにより、解説が追加された電子カルテの内容を端末の表示部に表示させる送信制御手段４３ｄとを具備する。【選択図】  図２
2006252304.tif 000002
【特許請求の範囲】
【請求項１】
医療施設において、診断及び治療の内容を電子カルテとして管理する医療情報管理装置であって、
複数のケースの電子カルテデータをデータベースに蓄積して管理する電子カルテ管理手段と、
複数の医学的な専門用語とその解説とを対応させて格納する辞書ファイルが記録された記録媒体と、
ある患者の電子カルテデータから医学的な専門用語を抽出し、抽出された医学的な専門用語を前記辞書ファイルにおいて検索して、検索された医学的な専門用語に対応する解説を表すデータを電子カルテデータに追加することにより、当該患者の簡易電子カルテデータを作成する簡易電子カルテ作成手段と、
当該患者が端末を操作することにより電子カルテの閲覧を要求した際に、当該患者の認証を行う認証手段と、
当該患者の簡易電子カルテデータを前記端末に送信することにより、解説が追加された電子カルテの内容を前記端末の表示部に表示させる送信制御手段と、
を具備する医療情報管理装置。
【請求項２】
前記簡易電子カルテ作成手段が、患者から電子カルテの閲覧要求を受けてから、当該患者の簡易電子カルテデータを作成する、請求項１記載の医療情報管理装置。
【請求項３】
前記簡易電子カルテ作成手段が、医師が電子カルテを作成又は編集する際に、簡易電子カルテを作成又は編集する、請求項１記載の医療情報管理装置。
【請求項４】
前記簡易電子カルテ作成手段が、簡易電子カルテにおいて医学的な専門用語の後にその解説を含む文字列が挿入されて表示されるように、簡易電子カルテデータを作成する、請求項１〜３のいずれか１項記載の医療情報管理装置。
【請求項５】
前記簡易電子カルテ作成手段が、簡易電子カルテにおいて医学的な専門用語をマウスポインタでクリックした場合にその解説を含む文字列が表示されるように、医学的な専門用語に対して解説を含む文字列をリンクとして関連付ける、請求項１〜３のいずれか１項記載の医療情報管理装置。
【請求項６】
前記簡易電子カルテ作成手段が、簡易電子カルテにおいて医学的な専門用語にマウスポインタを重ねた場合にその解説を含む文字列が表示されるように、医学的な専門用語に対して解説を含む文字列を付加しておく、請求項１〜３のいずれか１項記載の医療情報管理装置。
【請求項７】
医療施設において、診断及び治療の内容を電子カルテとして管理する医療情報管理方法であって、
ある患者が端末を操作することにより電子カルテの閲覧を要求した際に、当該患者の認証を行うステップ（ａ）と、
当該患者の電子カルテデータから医学的な専門用語を抽出するステップ（ｂ）と、
ステップ（ｂ）において抽出された医学的な専門用語を、複数の医学的な専門用語とその解説とを対応させて格納する辞書ファイルにおいて検索するステップ（ｃ）と、
ステップ（ｃ）において検索された医学的な専門用語に対応する解説を表すデータを電子カルテデータに追加することにより、当該患者の簡易電子カルテデータを作成するステップ（ｄ）と、
ステップ（ｄ）において作成された簡易電子カルテデータを前記端末に送信することにより、解説が追加された電子カルテの内容を前記端末の表示部に表示させるステップ（ｅ）と、
を具備する医療情報管理方法。
【請求項８】
医療施設において、診断及び治療の内容を電子カルテとして管理する医療情報管理方法であって、
ある患者の電子カルテデータから医学的な専門用語を抽出するステップ（ａ）と、
ステップ（ａ）において抽出された医学的な専門用語を、複数の医学的な専門用語とその解説とを対応させて格納する辞書ファイルにおいて検索するステップ（ｂ）と、
ステップ（ｂ）において検索された医学的な専門用語に対応する解説を表すデータを電子カルテデータに追加することにより、当該患者の簡易電子カルテデータを作成するステップ（ｃ）と、
当該患者が端末を操作することにより電子カルテの閲覧を要求した際に、当該患者の認証を行うステップ（ｄ）と、
当該患者の簡易電子カルテデータを前記端末に送信することにより、解説が追加された電子カルテの内容を前記端末の表示部に表示させるステップ（ｅ）と、
を具備する医療情報管理方法。
【請求項９】
医療施設において、診断及び治療の内容を電子カルテとして管理する医療情報管理プログラムであって、
ある患者が端末を操作することにより電子カルテの閲覧を要求した際に、当該患者の認証を行う手順（ａ）と、
当該患者の電子カルテデータから医学的な専門用語を抽出する手順（ｂ）と、
手順（ｂ）において抽出された医学的な専門用語を、複数の医学的な専門用語とその解説とを対応させて格納する辞書ファイルにおいて検索する手順（ｃ）と、
手順（ｃ）において検索された医学的な専門用語に対応する解説を表すデータを電子カルテデータに追加することにより、当該患者の簡易電子カルテデータを作成する手順（ｄ）と、
手順（ｄ）において作成された簡易電子カルテデータを前記端末に送信することにより、解説が追加された電子カルテの内容を前記端末の表示部に表示させる手順（ｅ）と、
をＣＰＵに実行させる医療情報管理プログラム。
【請求項１０】
医療施設において、診断及び治療の内容を電子カルテとして管理する医療情報管理プログラムであって、
ある患者の電子カルテデータから医学的な専門用語を抽出する手順（ａ）と、
手順（ａ）において抽出された医学的な専門用語を、複数の医学的な専門用語とその解説とを対応させて格納する辞書ファイルにおいて検索する手順（ｂ）と、
手順（ｂ）において検索された医学的な専門用語に対応する解説を表すデータを電子カルテデータに追加することにより、当該患者の簡易電子カルテデータを作成する手順（ｃ）と、
当該患者が端末を操作することにより電子カルテの閲覧を要求した際に、当該患者の認証を行う手順（ｄ）と、
当該患者の簡易電子カルテデータを前記端末に送信することにより、解説が追加された電子カルテの内容を前記端末の表示部に表示させる手順（ｅ）と、
をＣＰＵに実行させる医療情報管理プログラム。
【発明の詳細な説明】
【技術分野】
【０００１】
本発明は、医療施設において、診断及び治療の内容を電子カルテデータとして管理する医療情報管理装置に関し、さらに、そのような医療情報管理装置において用いられる医療情報管理方法及び医療情報管理プログラムに関する。
【背景技術】
【０００２】
診療所や総合病院等の医療施設において、診断及び治療の内容を記録したカルテ（診療録）は、患者の病状の変化を知るために保管しておく必要があり、法律によっても所定期間の保管が義務付けられている。従来は、診断及び治療の内容が筆記用具を用いて記入されたカルテ用紙を保管していたので、保管用スペースの確保や、管理作業及び検索作業が、医療施設にとって大きな負担となっていた。
【０００３】
一方、近年においては、カルテ作成におけるディジタル化が進んでおり、診断及び治療の内容を電子カルテデータとして磁気ディスクや光ディスク等の記録媒体に記録することにより、保管用スペースを削減したり、管理作業及び検索作業を省力化することが可能となっている。
【０００４】
また、患者が要望すればカルテの閲覧又は複製を行うことができる医療施設が増えてきており、そのような医療施設においては、電子カルテシステムを用いることにより、患者が自分のカルテを自由に閲覧することができる。しかしながら、カルテには医学的な専門用語が多く記載されているので、患者が医師の作成したカルテを閲覧しても、カルテの内容を理解することは困難である。
【０００５】
関連する技術として、下記の特許文献１には、患者による診療方法の選択を支援することができる診療方法選択支援方法とサーバ、並びに、診療方法選択支援プログラムとコンピュータ読取可能な記録媒体が開示されている。この診療方法選択支援方法においては、診療情報が、サーバに入力され蓄積され、サーバが、蓄積された診療情報を患者に提示し、提示した診療情報の中から患者が選択した診療情報を受け付け、受け付けた患者が選択した診療情報を、患者を診療する施療者に提示する。
【０００６】
しかしながら、特許文献１によれば、他人の電子カルテも閲覧できるので、患者の個人情報を保護するために、患者が閲覧できる診療情報は、医師が作成した電子カルテに記録された情報そのものではなく、患者に診療方法を選択させるという目的を達成できる程度に加工した情報である。即ち、患者の個人情報が流出することを防止したり、医師が作成した電子カルテから診療方法の選択のために必要な情報を抽出して患者に提供することが主目的であり、専門用語を分り易い表現に変換したり、語句の解説を付すことに関しては、具体的な技術が記載されていない。
【０００７】
また、下記の特許文献２には、主に海外旅行中の旅行者に日本国内での医療サービスに近いサービスを効率的に提供する遠隔医療のネットワークシステムと提供方法が開示されている。このシステムにおいては、データベースに医療情報を入力しようとする医師が、自分の母国語あるいは通常診療記録を書く言語でデータベースに診療記録を入力する。記録されたデータは、通常、記録された言語で読み出されるが、他国の医師が母国語で診療記録を閲覧したい場合には、その旨をデータベースに伝える。データベースは、これを受けて、診療記録を所望の言語に変換した上で開示する。診療記録は、病名や症状等、ある程度使われる単語が限られている。さらに、用語によっては万国共通の医学用語もあり、医療記録の他言語への変換は比較的容易である。
【０００８】
このように、特許文献２によれば、電子カルテを他国語に翻訳することにより、例えば海外で病気になった場合でも、現地の医師が患者の過去の病歴等を正しく把握して適切な診療を行うことができるが、システムの機能としては、電子カルテを翻訳して提供しているに過ぎない。
【特許文献１】特開２００３−２８８４１１号公報（第１頁、図２）
【特許文献２】特開２００２−１１７１５２号公報（第９頁、図５）
【発明の開示】
【発明が解決しようとする課題】
【０００９】
そこで、上記の点に鑑み、本発明は、診断及び治療の内容を電子カルテデータとして管理する医療情報管理装置において、医師が作成した電子カルテとは別に、患者が自分のカルテを見て自分の病状や診療結果を理解できるようにした簡易電子カルテを作成すると共に、オリジナルの電子カルテと簡易電子カルテとの間においてデータの整合性を保つことを目的とする。
【課題を解決するための手段】
【００１０】
上記課題を解決するため、本発明に係る医療情報管理装置は、医療施設において、診断及び治療の内容を電子カルテとして管理する医療情報管理装置であって、複数のケースの電子カルテデータをデータベースに蓄積して管理する電子カルテ管理手段と、複数の医学的な専門用語とその解説とを対応させて格納する辞書ファイルが記録された記録媒体と、ある患者の電子カルテデータから医学的な専門用語を抽出し、抽出された医学的な専門用語を辞書ファイルにおいて検索して、検索された医学的な専門用語に対応する解説を表すデータを電子カルテデータに追加することにより、当該患者の簡易電子カルテデータを作成する簡易電子カルテ作成手段と、当該患者が端末を操作することにより電子カルテの閲覧を要求した際に、当該患者の認証を行う認証手段と、当該患者の簡易電子カルテデータを端末に送信することにより、解説が追加された電子カルテの内容を端末の表示部に表示させる送信制御手段とを具備する。
【００１１】
また、本発明の１つの観点に係る医療情報管理方法は、医療施設において、診断及び治療の内容を電子カルテとして管理する医療情報管理方法であって、ある患者が端末を操作することにより電子カルテの閲覧を要求した際に、当該患者の認証を行うステップ（ａ）と、当該患者の電子カルテデータから医学的な専門用語を抽出するステップ（ｂ）と、ステップ（ｂ）において抽出された医学的な専門用語を、複数の医学的な専門用語とその解説とを対応させて格納する辞書ファイルにおいて検索するステップ（ｃ）と、ステップ（ｃ）において検索された医学的な専門用語に対応する解説を表すデータを電子カルテデータに追加することにより、当該患者の簡易電子カルテデータを作成するステップ（ｄ）と、ステップ（ｄ）において作成された簡易電子カルテデータを端末に送信することにより、解説が追加された電子カルテの内容を端末の表示部に表示させるステップ（ｅ）とを具備する。
【００１２】
さらに、本発明の１つの観点に係る医療情報管理プログラムは、医療施設において、診断及び治療の内容を電子カルテとして管理する医療情報管理プログラムであって、ある患者が端末を操作することにより電子カルテの閲覧を要求した際に、当該患者の認証を行う手順（ａ）と、当該患者の電子カルテデータから医学的な専門用語を抽出する手順（ｂ）と、手順（ｂ）において抽出された医学的な専門用語を、複数の医学的な専門用語とその解説とを対応させて格納する辞書ファイルにおいて検索する手順（ｃ）と、手順（ｃ）において検索された医学的な専門用語に対応する解説を表すデータを電子カルテデータに追加することにより、当該患者の簡易電子カルテデータを作成する手順（ｄ）と、手順（ｄ）において作成された簡易電子カルテデータを端末に送信することにより、解説が追加された電子カルテの内容を端末の表示部に表示させる手順（ｅ）とをＣＰＵに実行させる。
【発明の効果】
【００１３】
本発明によれば、患者の電子カルテデータから医学的な専門用語を抽出し、辞書ファイルにおいて検索された医学的な専門用語に対応する解説を表すデータを電子カルテデータに追加して簡易電子カルテデータを作成することにより、患者が自分のカルテを見て自分の病状や診療結果を理解できると共に、オリジナルの電子カルテと簡易電子カルテとの間においてデータの整合性を保つことができる。これにより、一方の電子カルテにおいて内容の改竄が行われたとしても、確実に発見することが可能となる。
【発明を実施するための最良の形態】
【００１４】
以下、本発明を実施するための最良の形態について、図面を参照しながら詳しく説明する。なお、同一の構成要素には同一の参照番号を付して、説明を省略する。
図１は、本発明の一実施形態に係る医療情報管理装置を含む医療情報管理システムを示す概略図である。図１に示すように、診療所や総合病院等の医療施設１０において、患者の受付の際に用いられる受付端末１と、医師が診断及び治療の内容を入力するために用いる医師用端末２と、医療情報を管理する医療情報管理装置３と、レセプトを作成するレセプト作成端末８と、不正アクセスを防止するためのファイアウォール（ＦＷ）９とが、ＬＡＮ（ローカルエリアネットワーク）を介して接続されている。
【００１５】
本実施形態においては、医療情報管理装置３が、通常の電子カルテに基づいて、患者が閲覧するために解説を追加した簡易電子カルテデータを作成することにより、患者が自分のカルテを見て自分の病状や診療結果を理解できると共に、オリジナルの電子カルテと簡易電子カルテとの間においてデータの整合性を保つようにしている。
【００１６】
そのために、医療情報管理装置３のファイアウォール（ＦＷ）９には、専用回線又は公衆電話交換網（ＰＳＴＮ）又はインターネット等のネットワークを介して、患者が自分の電子カルテを閲覧するために用いる患者用端末２０が接続される。患者用端末２０としては、通常のコンピュータを用いることができるので、患者は、自宅や仕事場から医療情報管理装置３にアクセスすることができる。なお、患者用端末２０を医療施設１０に設けても良い。
【００１７】
医療情報管理装置３は、診断及び治療の内容を電子カルテデータとして管理する電子カルテ管理端末４と、複数のケースの電子カルテデータを蓄積する電子カルテデータベース（ＤＢ）５が記録された記録媒体と、複数のケースの簡易電子カルテデータを蓄積する簡易電子カルテデータベース（ＤＢ）６が記録された記録媒体と、医学辞典等に記載されている複数の医学的な専門用語とその解説とを辞書ファイルに蓄積する医学用語データベース（ＤＢ）７が記録された記録媒体とを含んでいる。なお、電子カルテ管理端末４にレセプトを作成する機能を併せ持たせて、レセプト作成端末８を省略するようにしても良い。
【００１８】
図２は、本発明の一実施形態に係る医療情報管理装置に含まれている電子カルテ管理端末の構成を示すブロック図である。電子カルテ管理端末４は、各種の命令等を入力するために用いられるキーボードやマウス等の入力部４１と、操作用の画像等を表示するＣＲＴ又はＬＣＤディスプレイ等の表示部４２と、インタフェース５０を介して入力部４１及び表示部４２が接続された中央演算装置（以下、ＣＰＵという）４３と、メモリ４４と、ハードディスク４５と、ハードディスク４５におけるデータの書込み及び読出しを制御するハードディスク制御部４６と、ＤＶＤ（ディジタル・バーサタイル・ディスク）に対してデータの書込み及び読出しを行うＤＶＤドライバ４７と、ＬＡＮに接続するためのネットワークインタフェース４８と、各種のデータベースにアクセスするためのインタフェース４９とを含んでいる。これらの部分４３〜４９は、バスラインを介して相互に接続されている。
【００１９】
ハードディスク４５には、ＣＰＵ４３に動作を行わせるためのソフトウェア（医療情報管理プログラム）が記録されている。なお、ソフトウェアを記録する記録媒体としては、内蔵のハードディスク４５の他に、ＤＶＤ−ＲＯＭ、ＣＤ−ＲＯＭ、外付けハードディスク、フレキシブルディスク、ＭＯ、ＭＴ、又は、ＲＡＭ等を用いることもできる。
【００２０】
次に、ＣＰＵ４３とソフトウェア（医療情報管理プログラム）とによって構成される機能ブロック４３ａ〜４３ｄについて説明する。
医療情報管理装置３においては、個人情報の漏洩や管理データの改竄等を防止するために、医療情報へのアクセスに認証を要求し、認証によって許可されるまでは、医療情報へのアクセスを禁止している。図１に示す受付端末１、医師用端末２、又は、患者用端末２０が、医療情報管理装置３に対してアクセス権を照会すると、電子カルテ管理端末４の認証制御部４３ａが認証を開始し、アクセス権が認められた端末に対してアクセスを許可する。
【００２１】
電子カルテ管理部４３ｂは、入力部４１を用いた医師等の操作に従って、新たな電子カルテを作成して電子カルテデータベース５（図１）に格納すると共に、電子カルテデータベース５に格納されている複数のケースの電子カルテデータを管理している。当該医療施設において保管されている電子カルテを検索する場合には、電子カルテ管理部４３ｂが、要求されたケースの電子カルテを検索する。
【００２２】
図３に、カルテの第１の様式を示す。図３に示すように、カルテには、保険医療機関の責任で記載が義務付けられている項目として、公費負担者番号、公費負担医療の受給者番号、保険者番号、被保険者記号・番号等が含まれており、保険医の責任で記載が義務付けられている項目として、傷病名、開始年月日、終了年月日、転帰等が含まれている。傷病名としては、「インフルエンザ」、「花粉症」等の病名が記載される。また、図４に、カルテの第２の様式を示す。図４に示すように、医師は、患者を診療した際に、患者の病状及び診療結果等をカルテに記載する。
【００２３】
しかしながら、医師が作成したカルテには、医療関係者にとって必要十分な内容の記載しかされておらず、また、医学的な専門用語が多く記載されているので、医師の作成したカルテを患者が閲覧しても、カルテの内容を理解することは困難である。
【００２４】
そこで、本実施形態においては、患者から電子カルテの閲覧要求を受けてから、簡易電子カルテ作成部４３ｃが、当該患者の簡易電子カルテデータを作成する。あるいは、医師が電子カルテを作成又は編集する際に、簡易電子カルテ作成部４３ｃが、簡易電子カルテを作成又は編集するようにしても良い。その場合には、医師が電子カルテを編集する際に必ず簡易電子カルテを編集するようにすれば、電子カルテと簡易電子カルテとの間において、データの整合性を保つことができる。
【００２５】
簡易電子カルテ作成部４３ｃは、医学用語データベース７（図１）を参照することにより、該当するケースの電子カルテデータから医学的な専門用語を抽出し、抽出された医学的な専門用語を辞書ファイルにおいて検索して、検索された医学的な専門用語に対応する解説を表すデータを電子カルテデータに追加することにより、簡易電子カルテデータの作成を行う。あるいは、簡易電子カルテ作成部４３ｃは、医学的な専門用語の抽出を行う際に、予め設定されている自動抽出条件に従って、該当するケースの電子カルテデータから医学的な専門用語を自動抽出するようにしても良い。
【００２６】
例えば、図４に示すように、電子カルテに「ＧＯＴ」、「ＧＰＴ」、「ＡＬＰ」のような医学的な専門用語が記載されている場合に、簡易電子カルテ作成部４３ｃは、予め設定されている自動抽出条件に従って、専門用語「ＧＯＴ」、「ＧＰＴ」、「ＡＬＰ」を抽出し、医学用語データベース７を参照することにより、専門用語「ＧＯＴ」の解説として「グルタミン酸オキサロ酢酸転移酵素」の文字列を表すデータを追加し、専門用語「ＧＰＴ」の解説として「グルタミン酸ピルビン酸転移酵素」の文字列を表すデータを追加し、専門用語「ＡＰＴ」の解説として「アルカリ性フォスファターゼ」の文字列を表すデータを追加することにより、簡易電子カルテデータを作成する。
【００２７】
作成された簡易電子カルテデータは、当該患者の要求に応じて、送信制御部４３ｄからインタフェース５０を介して患者用端末２０に送信され、簡易電子カルテの内容が患者用端末２０に表示されて、患者によって閲覧される。また、作成された簡易電子カルテデータは、簡易電子カルテデータベース６に蓄積される。
【００２８】
図５は、医学的な専門用語の解説が追加された簡易電子カルテの画面上の表示例を示す図である。図５に示すように、専門用語「ＧＯＴ」、「ＧＰＴ」、「ＡＬＰ」の後に、医学的な専門用語の解説が括弧に入れて挿入される。
【００２９】
あるいは、簡易電子カルテ作成部４３ｃが、抽出された医学的な専門用語に対応する解説の医学用語データベース７における格納場所情報を取得し、その格納場所情報をＵＲＬ（uniform resource locator：統一資源位置指定子）として、医学的な専門用語にリンクとして関連付けることにより、そのＵＲＬに基づいて、医学的な専門用語の解説を参照できるようにしてもよい。
【００３０】
図６は、ＵＲＬを用いる簡易電子カルテの画面上の表示例を示す図であり、図７は、ＵＲＬに基づいて解説が表示されている簡易電子カルテの画面上の表示例を示す図である。図６に示す簡易電子カルテの画面においては、医学的な専門用語である「インフルエンザ」に下線が引かれており、「インフルエンザ」が解説にリンクされていることが分る。患者が、「インフルエンザ」をクリック又はダブルクリックすると、図７に示すように、「インフルエンザ」の解説が画面上に表示される。
【００３１】
あるいは、簡易電子カルテ作成部４３ｃが、医学的な専門用語にその解説を付加しておき、患者が画面上の医学的な専門用語の文字列にマウスポインタを重ねている間、医学的な専門用語に対応する解説が表示されるようにしても良い。即ち、プログラミング言語（例えば、Visual Basic for ApplicationsやHyper Text Markup Language等）を用いて、抽出された医学的な専門用語に、その専門用語の解説を埋め込んでおき、画面上において医学的な専門用語の文字列にマウスポインタが重ねられている間、専門用語に埋め込まれている解説がポップヒントとして表示されるようにする。ここで、ポップヒントとは、特定の文字列又は記号にマウスポインタを重ねると、その文字列又は記号の簡単な解説が表示される機能をいう。
【００３２】
次に、本実施形態に係る医療情報管理装置の動作について、図１、図２、図８を参照しながら説明する。図８は、本実施形態に係る医療情報管理装置の動作を示すフローチャートである。
【００３３】
患者が患者用端末２０を操作することにより電子カルテの閲覧を要求した場合に、ステップ１において、電子カルテ管理端末４の認証制御部４３ａが、患者の認証を行い、アクセスを許可するか否かを判定する。アクセスが許可された後、ステップＳ２において、電子カルテの閲覧要求に応答して、簡易電子カルテ作成部４３ｃが、簡易電子カルテデータベース６を参照して、該当するケースの簡易電子カルテを検索する。
【００３４】
ステップＳ３において、簡易電子カルテ作成部４３ｃが、該当するケースの簡易電子カルテデータが簡易電子カルテデータベース６に格納されているか否かを判定する。簡易電子カルテが格納されている場合には、処理がステップ８に移行し、簡易電子カルテが格納されていない場合には、処理がステップ４に移行する。
【００３５】
ステップＳ４において、電子カルテ管理部４３ｂが、電子カルテデータベース５を参照して、該当するケースの電子カルテを検索する。ステップＳ５において、簡易電子カルテ作成部４３ｃが、予め設定されている抽出条件に基づいて、電子カルテ管理部４３ｂによって検索された該当するケースの電子カルテデータから、医学的な専門用語を抽出する。ここで、医師が作成した電子カルテから医学的な専門用語を抽出するための条件は、傷病名に記載されている病名や、医学用語データベース７に格納されている専門用語の数等に応じて、変更することができる。
【００３６】
ステップ６において、簡易電子カルテ作成部４３ｃが、医学用語データベース７に含まれている辞書ファイルを参照することにより、抽出された医学的な専門用語を辞書ファイルにおいて検索して、検索された医学的な専門用語に対応する解説を読み出す。ステップＳ７において、簡易電子カルテ作成部４３ｃが、読み出された解説を簡易電子カルテデータに追加することにより、当該患者の簡易電子カルテデータを作成する。
【００３７】
ステップＳ８において、送信制御部４３ｄが、アクセスの認証が許可されている場合に限り、簡易電子カルテ作成部４３ｃによって作成された簡易電子カルテデータを患者用端末２０に送信することにより、解説が追加された電子カルテの内容を患者用端末２０の表示部に表示させる。
【００３８】
あるいは、医師が電子カルテを作成又は編集する際に、簡易電子カルテ作成部４３ｃが、同時に簡易電子カルテの作成又は編集を行うようにしても良い。その場合には、簡易電子カルテを作成又は編集した後に患者から簡易電子カルテの閲覧を要求されることになるので、図８において、ステップＳ１が、ステップＳ７とステップＳ８との間に移動する。
【００３９】
例えば、医師が、医師用端末２又は電子カルテ管理端末４を操作して、新たなケースの電子カルテを作成するための患者情報や診療情報を入力すると、電子カルテ管理部４４ｂが、新たなケースの電子カルテファイルを作成して電子カルテデータベース５に格納すると共に、簡易電子カルテ作成部４３ｃが、新たなケースの簡易電子カルテファイルを作成して簡易電子カルテデータベース６に格納する。
【００４０】
また、既に来院している患者の傷病について診察又は治療を続行する場合には、医師が、医師用端末２又は電子カルテ管理端末４を操作して、従来ケースの電子カルテを編集するための診察又は治療に関する情報を追加すると、電子カルテ管理部４４ｂが、従来ケースの電子カルテファイルを編集して電子カルテデータベース５に格納すると共に、簡易電子カルテ作成部４３ｃが、従来ケースの簡易電子カルテファイルを編集して簡易電子カルテデータベース６に格納する。
【産業上の利用可能性】
【００４１】
本発明は、医療施設において、診断及び治療の内容を電子カルテデータとして管理する医療情報管理装置において利用することが可能である。
【図面の簡単な説明】
【００４２】
【図１】本発明の一実施形態に係る医療情報管理装置を含む医療情報管理システムを示す概略図である。
【図２】本発明の一実施形態に係る医療情報管理装置に含まれている電子カルテ管理端末の構成を示すブロック図である。
【図３】カルテの第１の様式を示す図である。
【図４】カルテの第２の様式を示す図である。
【図５】医学的な専門用語の解説が追加された簡易電子カルテの画面上の表示例を示す図である。
【図６】ＵＲＬを用いる簡易電子カルテの画面上の表示例を示す図である。
【図７】ＵＲＬに基づいて解説が表示されている簡易電子カルテの画面上の表示例を示す図である。
【図８】本発明の一実施形態に係る医療情報管理装置の動作を示すフローチャートである。
【符号の説明】
【００４３】
１  受付端末
２  医師用端末
３  医療情報管理装置
４  電子カルテ管理端末
５  電子カルテデータベース（ＤＢ）
６  簡易電子カルテデータベース（ＤＢ）
７  医学用語データベース（ＤＢ）
８  レセプト作成端末
９  ファイアウォール（ＦＷ）
１０  医療施設
２０  患者用端末
４１  入力部
４２  表示部
４３  中央演算装置（ＣＰＵ）
４３ａ  認証制御部
４３ｂ  電子カルテ管理部
４３ｃ  簡易電子カルテ作成部
４３ｄ  送信制御部
４４  メモリ
４５  ハードディスク
４６  ハードディスク制御部
４７  ＤＶＤドライバ
４８  ネットワークインタフェース
４９、５０  インタフェース
【図１】
2006252304.tif 000003
【図２】
2006252304.tif 000004
【図３】
2006252304.tif 000005
【図４】
2006252304.tif 000006
【図５】
2006252304.tif 000007
【図６】
2006252304.tif 000008
【図７】
2006252304.tif 000009
【図８】
2006252304.tif 000010